(57)【要約】【課題】  撮影された画像データを内蔵RAMに一定量バッファリングした後に記録媒体へ書き込みを行なう記録装置において、インターバル撮影時に記録装置への電力供給が遮断された場合においても遮断前までの画像データを記録媒体に確実に記録できるようにする。【解決手段】  記録モードとして内蔵RAMにバッファリングを行ない記録媒体への記録を行なう記録モードと、内蔵RAMにバッファリングしないで記録媒体へ記録を行なう記録モードとを備え、撮影モードにより前記記録モードを切り替えて記録媒体へ記録を行なうようにすることにより、インターバル撮影時においては前記の内蔵RAMにバッファリングしないで記録媒体へ記録を行なう記録モードにより前記記録媒体への記録を行なうようにして、記録装置への電力供給が遮断された場合においても遮断前までの画像データの記録を保証できるようにする。【選択図】  図２
2005192143.tif 000002
【特許請求の範囲】
【請求項１】
画像データを記憶するメモリと、
前記画像データを記録媒体に記録する記録手段と、
前記画像データを前記メモリに所定量蓄積した後、前記メモリより前記画像データを読み出して前記記録媒体に記録する第１の記録モードと、前記画像データをメモリに蓄積することなく前記記録媒体に記録する第２の記録モードとを選択する選択手段とを備える記録装置。
【請求項２】
所定期間毎に前記記録媒体に対して所定量の前記画像データを間欠的に記録するインターバル記録モードにおいては、前記選択手段は前記第２の記録モード選択することを特徴とする請求項１に記載の記録装置。
【請求項３】
画像データを記憶する揮発性メモリと、
前記画像データを記憶する不揮発性メモリと、
前記画像データを記録媒体に記録する記録手段と、
前記画像データを前記揮発性メモリに蓄積した後、前記揮発性メモリより前記画像データを読み出して記録媒体に記録する第１の記録モードと、前記画像データを前記揮発性メモリ及び前記不揮発性メモリに蓄積することなく前記記録媒体に記録する第２の記録モードと、前記画像データを前記不揮発性メモリに蓄積した後、前記不揮発性メモリから前記画像データを読み出して前記記録媒体に記録する第３の記録モードとを切り替える選択手段とを備える記録装置。
【請求項４】
所定期間毎に前記記録媒体に対して所定量の前記画像データを間欠的に記録するインターバル記録モードにおいては、前記選択手段は前記第２の記録モードまたは第３の記録モードを選択することを特徴とする請求項３に記載の記録装置。
【請求項５】
画像データを記憶するメモリと、
前記画像データに記憶された画像データを読み出して記録媒体に記録する記録手段と、
前記画像データを第１のデータ量だけ前記メモリに蓄積した後、前記メモリより前記画像データを読み出して前記記録媒体に記録する第１の記録モードと、前記画像データを前記第１のデータ量よりも少ない第２のデータ量だけ前記メモリに蓄積した後、前記メモリより前記画像データを読み出して前記記録媒体に記録する第２の記録モードとを切り替える選択手段を備える記録装置。
【請求項６】
所定期間毎に前記記録媒体に対して所定量の前記画像データを間欠的に記録するインターバル記録モードにおいては、前記選択手段は前記第２の記録モードを選択することを特徴とする請求項５に記載の記録装置。
【請求項７】
前記不揮発性メモリは着脱可能であることを特徴とする請求項３に記載の記録装置。
【請求項８】
前記不揮発性メモリが装着されていない場合には前記第２の記録モードにて前記記録媒体への記録を行なうことを特徴とする請求項７に記載の記録装置。
【請求項９】
前記記録媒体は円盤状の記録媒体であることを特徴とする請求項１〜８の何れか１項に記載の記録装置。
【請求項１０】
画像データを記憶するメモリと、前記画像データを記録媒体に記録する記録手段とを備える記録装置における記録方法であって、
前記画像データを前記メモリに所定量蓄積した後、前記メモリより前記画像データを読み出して前記記録媒体に記録する第１の記録モードと、前記画像データをメモリに蓄積することなく前記記録媒体に記録する第２の記録モードとを選択する選択処理を有することを特徴とする記録方法。
【請求項１１】
所定期間毎に前記記録媒体に対して所定量の前記画像データを間欠的に記録するインターバル記録モードにおいては、前記選択処理は前記第２の記録モード選択することを特徴とする請求項１０に記載の記録方法。
【請求項１２】
画像データを記憶する揮発性メモリと、前記画像データを記憶する不揮発性メモリと、前記画像データを記録媒体に記録する記録手段とを有する記録装置における記録方法であって、
前記画像データを前記揮発性メモリに蓄積した後、前記揮発性メモリより前記画像データを読み出して記録媒体に記録する第１の記録モードと、前記画像データを前記揮発性メモリ及び前記不揮発性メモリに蓄積することなく前記記録媒体に記録する第２の記録モードと、前記画像データを前記不揮発性メモリに蓄積した後、前記不揮発性メモリから前記画像データを読み出して前記記録媒体に記録する第３の記録モードとを切り替える選択処理を有することを特徴とする記録方法。
【請求項１３】
所定期間毎に前記記録媒体に対して所定量の前記画像データを間欠的に記録するインターバル記録モードにおいては、前記選択処理は前記第２の記録モードまたは第３の記録モードを選択することを特徴とする請求項１２に記載の記録方法。
【請求項１４】
画像データを記憶するメモリと、前記画像データに記憶された画像データを読み出して記録媒体に記録する記録手段とを備える記録装置における記録方法であって、
前記画像データを第１のデータ量だけ前記メモリに蓄積した後、前記メモリより前記画像データを読み出して前記記録媒体に記録する第１の記録モードと、前記画像データを前記第１のデータ量よりも少ない第２のデータ量だけ前記メモリに蓄積した後、前記メモリより前記画像データを読み出して前記記録媒体に記録する第２の記録モードとを切り替える選択処理を有することを特徴とする記録方法。
【請求項１５】
所定期間毎に前記記録媒体に対して所定量の前記画像データを間欠的に記録するインターバル記録モードにおいては、前記選択処理は前記第２の記録モードを選択することを特徴とする請求項１４に記載の記録方法。
【請求項１６】
画像データを記憶するメモリと、前記画像データを記録媒体に記録する記録手段とを備える記録装置における記録方法をコンピュータに実行させるプログラムであって、
前記画像データを前記メモリに所定量蓄積した後、前記メモリより前記画像データを読み出して前記記録媒体に記録する第１の記録モードと、前記画像データをメモリに蓄積することなく前記記録媒体に記録する第２の記録モードとを選択する選択処理をコンピュータに実行させることを特徴とするコンピュータプログラム。
【請求項１７】
画像データを記憶する揮発性メモリと、前記画像データを記憶する不揮発性メモリと、前記画像データを記録媒体に記録する記録手段とを有する記録装置における記録方法をコンピュータに実行させるプログラムであって、
前記画像データを前記揮発性メモリに蓄積した後、前記揮発性メモリより前記画像データを読み出して記録媒体に記録する第１の記録モードと、前記画像データを前記揮発性メモリ及び前記不揮発性メモリに蓄積することなく前記記録媒体に記録する第２の記録モードと、前記画像データを前記不揮発性メモリに蓄積した後、前記不揮発性メモリから前記画像データを読み出して前記記録媒体に記録する第３の記録モードとを切り替える選択処理をコンピュータに実行させることを特徴とするコンピュータプログラム。
【請求項１８】
画像データを記憶するメモリと、前記画像データに記憶された画像データを読み出して記録媒体に記録する記録手段とを備える記録装置における記録方法をコンピュータに実行させるプログラムであって、
前記画像データを第１のデータ量だけ前記メモリに蓄積した後、前記メモリより前記画像データを読み出して前記記録媒体に記録する第１の記録モードと、前記画像データを前記第１のデータ量よりも少ない第２のデータ量だけ前記メモリに蓄積した後、前記メモリより前記画像データを読み出して前記記録媒体に記録する第２の記録モードとを切り替える選択処理をコンピュータに実行させることを特徴とするコンピュータプログラム。
【請求項１９】
前記請求項１６〜１８の何れか１項に記載のコンピュータプログラムを記録したことを特徴とするコンピュータ読み取り可能な記録媒体。
【発明の詳細な説明】
【技術分野】
【０００１】
本発明は記録装置、記録方法、コンピュータプログラム及びコンピュータ読み取り可能な記録媒体に関し、特に、動画または静止画を記録媒体に記録することの可能な、カメラ一体型ＤＶＤレコーダー（ＤＶＤビデオカメラ）等の記録再生装置に関するものである。
【背景技術】
【０００２】
従来、ＤＶＤビデオカメラなどでは撮影時における記録媒体への記録方式としては、特許文献１に記載の「外部記憶装置の制御方法」のように、撮影中に使用者が手持ちで撮影を行なう場合の衝撃保護や、消費電力の削減目的において、撮影された動画像データを内蔵される画像メモリにバッファリングしておき、前記バッファリングされた画像データが一定量となったときに、バッファリングされた画像データをディスク等の記録媒体へ記録する方法がとられている。バッファリングの量としては、搭載されるバッファメモリの容量と記録媒体の記録速度（レート）にも依るが、数秒〜数十秒程度のバッファリングを行なっている。
【０００３】
したがって、映像信号の単位とすると、１秒間をNTSC方式においては３０フレーム／PAL方式においては２５フレームとし、メモリへのバッファリングを１０秒とすると、３００フレーム（NTSC）/２５０フレーム（PAL）のバッファリング量となる。
【０００４】
ところで、ディスクの記録／再生においては、ディスクデータの読み書き行なうためのピックアップヘッドの位置あわせ制御（トラッキング）が非常に重要である。例えば、機器への衝撃などにより、このヘッドの位置がずれてしまった場合などにおいては、ヘッドのトラッキングを再度行なわなければならない。このため、トラッキングが頻繁に繰り返される場合などにおいては、記録や再生が正常にできなくなる場合もある。
【０００５】
よって、書き込み／読み込みの安定性を確保するために、ディスクデータの読み出し／書き込みのバッファリングを行なうようにしている。
また、記録時においては、常時ディスクに書き込みを行なうのではなく、撮影画像データの一定量を内蔵メモリにバッファリングし、前記バッファリングしたデータを短時間でディスクに書き込むようにしている。
【０００６】
また、再生時においては、一定量のデータを一括して短時間でディスクから読み出すとともに、前記内蔵メモリにバッファリングし、このバッファリングした画像データを再生する方式を採用している。
【０００７】
通常、ビデオカメラの撮影方法としては、使用者が手持ちで記録開始や停止などの撮影における操作を行なう撮影方法や、定められた単位時間の記録を一定時間の間隔で繰り返すインターバル記録方法等がある。
【０００８】
前記インターバル記録とは、通常、定められた単位時間の記録における記録時間は、映像信号方式における数フレーム（２フレーム程度）に設定され、繰り返し時間は分単位／時間単位にて使用者が設定可能となっている。
【０００９】
このインターバル撮影方法では、三脚などにビデオカメラを取り付けて一定の画角に固定した状態にして、被写体の変化を長時間にわたって撮影するのに適している。たとえば、花の開花などの変化を長時間にわたって撮影するのにも適している。
【００１０】
【特許文献１】特開平６−５２６３６号公報
【発明の開示】
【発明が解決しようとする課題】
【００１１】
しかしながら、上記従来例における記録画像データをバッファリングすることにより記録を行なう場合、インターバル記録においては以下のような問題点があった。例えば、繰り返される記録のフレーム数は２フレーム、バッファリング量を３００フレームとすると、
３００フレーム／２フレーム ＝ １５０
となり、１５０回分の記録をバッファリングすることができる。
【００１２】
したがって、待機時間を１分と使用者が設定したとすると、
１５０×１分  ＝１５０分
となり、ディスク等の記録媒体への記録間隔は１５０分に１回ずつ繰り返されることになる。
【００１３】
インターバル記録における撮影方法においては、被写体の長時間における変化を一定間隔で撮影するため、撮影時間も長時間となる場合が多い。たとえば、花の開花などでは数十時間を要することが多い。
【００１４】
このようなインターバル記録においては、撮影が長時間にわたるため撮影中に使用者が機器の状態を常に監視していることは非常に困難である。このため、例えばバッテリーを使用して撮影を行なう場合では、機器に供給する駆動電圧の低下により機器が停止する場合が考えられる。また、ＡＣ電源を使用した撮影においては、停電などにより記録が中断されることが考えられる。
【００１５】
このような場合においては、機器を動作させるための駆動電源の供給が無くなるため、メモリにバッファリング中の画像データがディスクに記録されなくなってしまうのみならず、バッファリングされた画像データも消去されてしまう問題点があった。したがって、前述したような設定では、最大１５０分の時間における撮影データ（記録データとしては１０秒）が、記録媒体に記録されずに破棄されることになってしまう。
【００１６】
よって、インターバル記録において、上記の停電などの、駆動電圧の低下による機器の動作不可状態となった場合において、記録装置への電力供給が遮断された場合においても遮断前までの画像データを記録媒体に記録することを保証できない問題があった。
本発明は前述の問題点にかんがみ、記録装置への電力供給が遮断された場合においても遮断前までの画像データを記録媒体に確実に記録することが可能な記録装置を提供できるようにすることを目的とする。
【課題を解決するための手段】
【００１７】
本発明の記録装置は、画像データを記憶するメモリと、前記画像データを記録媒体に記録する記録手段と、前記画像データを前記メモリに所定量蓄積した後、前記メモリより前記画像データを読み出して前記記録媒体に記録する第１の記録モードと、前記画像データをメモリに蓄積することなく前記記録媒体に記録する第２の記録モードとを選択する選択手段とを備えることを特徴としている。
また、本発明のその他の特徴とするところは、画像データを記憶する揮発性メモリと、前記画像データを記憶する不揮発性メモリと、前記画像データを記録媒体に記録する記録手段と、前記画像データを前記揮発性メモリに蓄積した後、前記揮発性メモリより前記画像データを読み出して記録媒体に記録する第１の記録モードと、前記画像データを前記揮発性メモリ及び前記不揮発性メモリに蓄積することなく前記記録媒体に記録する第２の記録モードと、前記画像データを前記不揮発性メモリに蓄積した後、前記不揮発性メモリから前記画像データを読み出して前記記録媒体に記録する第３の記録モードとを切り替える選択手段とを備えることを特徴としている。
また、本発明のその他の特徴とするところは、画像データを記憶するメモリと、前記画像データに記憶された画像データを読み出して記録媒体に記録する記録手段と、前記画像データを第１のデータ量だけ前記メモリに蓄積した後、前記メモリより前記画像データを読み出して前記記録媒体に記録する第１の記録モードと、前記画像データを前記第１のデータ量よりも少ない第２のデータ量だけ前記メモリに蓄積した後、前記メモリより前記画像データを読み出して前記記録媒体に記録する第２の記録モードとを切り替える選択手段とを備えることを特徴としている。
【００１８】
本発明の記録方法は、画像データを記憶するメモリと、前記画像データを記録媒体に記録する記録手段とを備える記録装置における記録方法であって、前記画像データを前記メモリに所定量蓄積した後、前記メモリより前記画像データを読み出して前記記録媒体に記録する第１の記録モードと、前記画像データをメモリに蓄積することなく前記記録媒体に記録する第２の記録モードとを選択する選択処理を有することを特徴としている。
また、本発明の他の特徴とするところは、画像データを記憶する揮発性メモリと、前記画像データを記憶する不揮発性メモリと、前記画像データを記録媒体に記録する記録手段とを有する記録装置における記録方法であって、前記画像データを前記揮発性メモリに蓄積した後、前記揮発性メモリより前記画像データを読み出して記録媒体に記録する第１の記録モードと、前記画像データを前記揮発性メモリ及び前記不揮発性メモリに蓄積することなく前記記録媒体に記録する第２の記録モードと、前記画像データを前記不揮発性メモリに蓄積した後、前記不揮発性メモリから前記画像データを読み出して前記記録媒体に記録する第３の記録モードとを切り替える選択処理を有することを特徴としている。
また、本発明のその他の特徴とするところは、画像データを記憶するメモリと、前記画像データに記憶された画像データを読み出して記録媒体に記録する記録手段とを備える記録装置における記録方法であって、前記画像データを第１のデータ量だけ前記メモリに蓄積した後、前記メモリより前記画像データを読み出して前記記録媒体に記録する第１の記録モードと、前記画像データを前記第１のデータ量よりも少ない第２のデータ量だけ前記メモリに蓄積した後、前記メモリより前記画像データを読み出して前記記録媒体に記録する第２の記録モードとを切り替える選択処理を有することを特徴としている。
【００１９】
本発明のコンピュータプログラムは、画像データを記憶するメモリと、前記画像データを記録媒体に記録する記録手段とを備える記録装置における記録方法をコンピュータに実行させるプログラムであって、前記画像データを前記メモリに所定量蓄積した後、前記メモリより前記画像データを読み出して前記記録媒体に記録する第１の記録モードと、前記画像データをメモリに蓄積することなく前記記録媒体に記録する第２の記録モードとを選択する選択処理をコンピュータに実行させることを特徴としている。
また、本発明の他の特徴とするところは、画像データを記憶する揮発性メモリと、前記画像データを記憶する不揮発性メモリと、前記画像データを記録媒体に記録する記録手段とを有する記録装置における記録方法をコンピュータに実行させるプログラムであって、前記画像データを前記揮発性メモリに蓄積した後、前記揮発性メモリより前記画像データを読み出して記録媒体に記録する第１の記録モードと、前記画像データを前記揮発性メモリ及び前記不揮発性メモリに蓄積することなく前記記録媒体に記録する第２の記録モードと、前記画像データを前記不揮発性メモリに蓄積した後、前記不揮発性メモリから前記画像データを読み出して前記記録媒体に記録する第３の記録モードとを切り替える選択処理をコンピュータに実行させることを特徴としている。
また、本発明のその他の特徴とするところは、画像データを記憶するメモリと、前記画像データに記憶された画像データを読み出して記録媒体に記録する記録手段とを備える記録装置における記録方法をコンピュータに実行させるプログラムであって、前記画像データを第１のデータ量だけ前記メモリに蓄積した後、前記メモリより前記画像データを読み出して前記記録媒体に記録する第１の記録モードと、前記画像データを前記第１のデータ量よりも少ない第２のデータ量だけ前記メモリに蓄積した後、前記メモリより前記画像データを読み出して前記記録媒体に記録する第２の記録モードとを切り替える選択処理をコンピュータに実行させることを特徴としている。
【００２０】
本発明の記録媒体は、前記の何れかに記載のコンピュータプログラムを記録したことを特徴としている。
【発明の効果】
【００２１】
本発明の記録装置によれば、記録媒体への記録方法として、撮影された画像データをメモリに一定量蓄積を行ってから記録媒体へ書き込みを行なう記録モードと、撮影された画像データを前記メモリに蓄積せずに前記記録媒体へダイレクトに書き込みを行なう記録モードとを任意に選択できるようにしたので、インターバル撮影モード等において、記録装置への電力供給が停止された場合においても、前記電力供給停止までに撮影した画像データを記録媒体に確実に記録可能とすることを保証することができる。
【００２２】
また、本発明の他の特徴によれば、インターバル撮影時でも不揮発性メモリが装着されている場合には、撮影データの蓄積を前記不揮発性メモリに行なうようにしたので、記録媒体が安定して書き込みを行なえる状態にあるときに書き込みを行なうようにすることができる。また、撮影時における停電や、駆動電圧の低下による機器の動作不可状態となった場合においても、それまでの記録データを前記不揮発性メモリに保存しておくことができるので、機器の動作不可状態となるまでに撮影した画像データが消失しないようにすることを確実に保証することができる。
【００２３】
また、本発明のその他の特徴によれば、インターバル撮影時でも所定のフレーム数だけメモリに蓄積を行ない、所定数のフレームが蓄積される毎に前記記録媒体に上書きしていくようにしたので、撮影時における停電や、駆動電圧の低下により機器が動作不可状態になった場合でも、失われる撮影データを最小限にとどめることができる。また、前記記録媒体が安定して書き込みを行なえる状態にあるときに書き込みを行なうようにすることができる。
【発明を実施するための最良の形態】
【００２４】
（第１の実施の形態）
図１は、本発明の特徴を最もよく表す画像記録再生装置の図面である。
図１において、Ｄ１は記録再生可能なＤＶＤディスク、ＭＣ１は記録再生可能なメモリカード、Ｃ１は被写体を映像信号に変換する撮像部、Ｂ２は各部の制御を行なうシステムコントローラー、Ｂ４はＣ１の映像信号の処理を行なう撮像画像処理回路、Ｂ１は撮像画像処理回路において処理された映像信号、ＤＶＤディスクＤ１やメモリカードへの記録、ＤＶＤディスクＤ１やメモリカードから再生された画像データの処理を行なう記録再生データ処理回路である。
【００２５】
Ｂ５はメモリカードのコントロールを行なうＳＤ／ＭＭＣカードコントローラー、Ｂ３は画面表示用の文字信号発生回路、Ｖ１は撮影画像の表示や再生画像の表示を行なう液晶パネル、Ｍ１は記録や再生時に画像データのバッファリング（蓄積）を行なうための画像データメモリ、ＳＷ１〜ＳＷ４は画像記録再生装置の操作を行なう操作スイッチである。
【００２６】
図１において、記録時におけるカメラ部にて撮像される画像は、レンズ系より撮像装置としてのＣＣＤに結像され電気画像信号に変化され、撮像処理回路において所定の撮像処理が施された画像データとして画像メモリに記憶されると共に、液晶パネルＶ１に出力される。
【００２７】
ＮＴＳＣ方式における通常撮影時においては、カメラ信号処理回路Ｂ４からの画像データが３００フレーム分画像データメモリにバッファリングされたのちに、ＤＶＤディスクＤ１への書き込みを行なう。ＮＴＳＣ方式におけるインターバル撮影時においては、カメラ信号処理回路Ｂ４からの画像データは１フレーム毎にＤＶＤディスクＤ１に対して書き込みが行なわれる。
【００２８】
図２は、本発明を実施した画像記録再生装置の制御を行なうシステムコントローラーＢ２のマイクロコンピュータの処理手順を説明するフローチャートである。以下、このフローチャートに従い、図１の画像記録再生装置の動作を説明する。
【００２９】
最初のステップＳ１０１では、撮影開始兼停止スイッチＳＷ１のON／OFF検出が行なわれる。この検出の結果、前記撮影開始兼停止スイッチＳＷ１がOFFからONとなった場合には、撮影処理に移行するためステップＳ１０２へと進み、撮影開始兼停止スイッチＳＷ１がOFFのままであればステップＳ１０１に留まる。
【００３０】
次に、ステップＳ１０２では、通常撮影モードかインターバル撮影モードかの判断が行なわれる。ここで、撮影モードの設定は、あらかじめユーザーがメニューなどの撮影条件設定手段を用いて行っているものとする。前記ステップＳ１０２の判断の結果、通常撮影モードであればステップＳ１０３に進み、インターバル撮影モードであればステップＳ１０４へと分岐する。
【００３１】
ステップＳ１０３では、撮影データをメモリにバッファリングする通常撮影処理(バッファリング通常撮影)が行なわれ、ステップＳ１０４ではバッファを用いないインターバル撮影処理(バッファレスインターバル撮影)が行なわれる。これらの撮影を行なう際の詳細な動作の説明については、図３及び図４のフローチャートに従ってそれぞれ行なう。
【００３２】
まず、図３のフローチャートに従い、バッファリング通常撮影における動作を説明する。
最初のステップＳ２０１では、撮像部Ｃ１によって撮像され、カメラ映像信号処理回路Ｂ４によって１フレーム分の映像信号が作り出される。
【００３３】
次に、ステップＳ２０２では、前記ステップＳ２０１で作り出された１フレーム分の映像信号を、記録再生データ処理回路Ｂ４によって画像データメモリＭ１にバッファリングする。
【００３４】
次に、ステップＳ２０３では、撮影開始兼停止スイッチＳＷ１のON／OFF検出が行なわれる。この検出の結果、前記撮影開始兼停止スイッチＳＷ１がOFFからONとなった場合には、撮影停止処理に移行するためステップＳ２０６へと進む。また、OFFからONへの変化が検出されなかった場合にはステップＳ２０４へと進む。
【００３５】
ステップＳ２０４では、前回ＤＶＤディスクＤ１に画像データを記録してから、画像データメモリＭ１に何フレームのデータがバッファリングされているかを調べ、それが３００フレーム以上であればステップＳ２０５へと分岐し、そうでなければステップＳ２０１へと戻り、再度撮影処理を行なう。
【００３６】
ステップＳ２０５では、画像データメモリＭ１中の画像データをＤＶＤディスクＤ１に書き込む処理を開始する。この書き込み処理は、ＤＶＤディスクＤ１が安定して書き込みを行なえる状態になっている場合に行なわれる。ＤＶＤディスクＤ１に書き込まれた画像データは、画像データメモリＭ１から消去される。ＤＶＤディスクＤ１に実際に書き込みが開始されたか否かに関わらず、ステップＳ２０１に戻り、次のフレームの撮影処理に移る。
【００３７】
一方、ステップＳ２０６に進んだ場合には、撮影を停止するため、画像データメモリＭ１にバッファリングされている画像データをＤＶＤディスクＤ１に書き込む処理を開始する。この書き込み処理は、ＤＶＤディスクＤ１が安定して書き込みを行なえる状態になっている場合に行なわれる。そして、ＤＶＤディスクＤ１への書き込み処理が終了したところで、撮影処理が終了となる
【００３８】
次に、図４のフローチャートに従い、バッファレスインターバル撮影時における動作を説明する。ここで、インターバル撮影における、一回のインターバル毎に撮影するフレーム数、総撮影回数、撮影間隔については、あらかじめユーザーがメニューなどの撮影条件設定手段を用いて行っているものとする。
【００３９】
最初のステップＳ３０１では、撮像部Ｃ１によって撮像され、カメラ映像信号処理回路Ｂ４によって１フレーム分の映像信号が作り出される。
次に、ステップＳ３０２では、ステップＳ３０１で作り出された１フレーム分の映像信号をＤＶＤディスクＤ１に書き込む。このとき、ＤＶＤディスクＤ１が安定して書き込みを行なえる状態であるか否かは考慮しない。
【００４０】
次に、ステップＳ３０３では、一回のインターバルで撮影するフレーム数だけ撮影したか否かを判定する。設定されたフレーム数だけ撮影している場合にはステップＳ３０４へ進み、そうでなければステップＳ３０１へ戻って撮影処理を再度行なう。
【００４１】
次に、ステップＳ３０４では、設定回数分の撮影が終了したか否かの確認を行なう。この確認の結果、設定された回数だけ撮影している場合には、そこで撮影終了となる。また、設定された回数だけ撮影していなければステップＳ３０５へと分岐する。
【００４２】
ステップＳ３０５では、前回の撮影から一定時間経過したか否かを判定する。この判定の結果、設定された時間が経過していた場合には、ステップＳ３０１へと戻り、次の回の撮影処理を続ける。そうでなければ、ステップＳ３０５に留まり、再度時間経過の判定を行なう。
【００４３】
以上に説明した実施の形態によれば、インターバル撮影時には画像データメモリＭ１への画像データのバッファリングを行なわず、１フレーム毎にＤＶＤディスクＤ１に書き込むようにしている。これにより、撮影時における停電や、駆動電圧の低下による機器の動作不可状態となった場合においても、それまでの記録データを記録媒体に確実に記録可能なインターバル撮影方法を提供することができる。
【００４４】
（第２の実施の形態）
本実施の形態におけるハード構成は、前述した第１の実施の形態と同様であるためここでは省略する。
図５は、本発明を実施した画像記録再生装置の制御を行なうシステムコントローラーＢ２のマイクロコンピュータの動作を説明するフローチャートである。このフローチャートに従い、第２の実施の形態における画像記録再生装置の動作を説明する。
【００４５】
図５に示したように、最初のステップＳ４０１では、撮影開始兼停止スイッチＳＷ１のON／OFF検出が行なわれる。このON／OFF検出の結果、撮影開始兼停止スイッチＳＷ１がOFFからONとなった場合には、撮影処理に移行するためステップＳ４０２へと進み、撮影開始兼停止スイッチＳＷ１がOFFのままであればステップＳ４０１に留まる。
【００４６】
ステップＳ４０２では、通常撮影モードかインターバル撮影モードかの判断が行なわれる。ここで、撮影モードの設定は、あらかじめユーザーがメニューなどの撮影条件設定手段を用いて行っているものとする。通常撮影モードであればステップＳ４０４へ進み、インターバル撮影モードであればステップＳ４０３へと分岐する。
【００４７】
ステップＳ４０３では、本実施の形態の画像記録再生装置にメモリカードＭＣ１が装着されているか否かの判定を行なう。この判定の結果、メモリカードＭＣ１が装着されている場合にはステップＳ４０６に進み、そうでなければステップＳ４０５に分岐する。
【００４８】
ステップＳ４０４では、撮影データをメモリにバッファリングする通常撮影処理(バッファリング通常撮影)が行なわれる。また、ステップＳ４０５ではバッファを用いないインターバル撮影処理(バッファレスインターバル撮影)が行なわれる。これらの撮影処理の詳細な動作については、前述した第１の実施の形態と同様であるため、ここでは省略する。
【００４９】
ステップＳ４０６に進んだ場合は、撮影データをメモリカードＭＣ１にバッファリングするインターバル撮影処理(メモリーカードバッファリングインターバル撮影)が行なわれる。
【００５０】
次に、図６のフローチャートを用いて、前記ステップＳ４０６において行なわれる、メモリーカードバッファリングインターバル撮影の動作の詳細について説明する。
インターバル撮影における、一回のインターバル毎に撮影するフレーム数、総撮影回数、撮影間隔については、あらかじめユーザーがメニューなどの撮影条件設定手段を用いて行っているものとする。
【００５１】
図６に示したように、最初のステップＳ５０１では、撮像部Ｃ１によって撮像され、カメラ映像信号処理回路Ｂ４によって１フレーム分の映像信号が作り出される。
次に、ステップＳ５０２では、前記ステップＳ５０１で作り出された１フレーム分の映像信号が、記録再生データ処理回路Ｂ１を通してメモリーカードコントローラＢ５に送られ、メモリカードＭＣ１に書き込まれてバッファリングされる。
【００５２】
次に、ステップＳ５０３では、一回のインターバルで撮影するフレーム数だけ撮影したか否かを判定する。この判定の結果、設定されたフレーム数だけ撮影している場合にはステップＳ５０４へ進み、そうでなければステップＳ５０１へ戻り、再度撮影処理を行なう。
【００５３】
ステップＳ５０４では、前回ＤＶＤディスクＤ１に記録してから、メモリカードＭＣ１に何フレームのデータがバッファリングされているかを調べる。その結果、それが３００フレーム以上であればステップＳ５０５へと分岐し、そうでなければステップＳ５０６へと進む。
【００５４】
ステップＳ５０５では、メモリカードＭＣ１中のデータをＤＶＤディスクＤ１に書き込む処理を開始する。この書き込み処理は、ＤＶＤディスクＤ１が安定して書き込みを行なえる状態になっている場合に行なわれる。書き込まれたデータは、メモリカードＭＣ１から消去される。ＤＶＤディスクＤ１に書き込みが実際に開始されたか否かに関わらず、ステップＳ５０６へと進む。
【００５５】
ステップＳ５０６では、設定回数分の撮影が終了したか否かの確認を行なう。この確認の結果、設定された回数だけ撮影している場合には、そこで撮影終了となる。そうでなければステップＳ５０７へと分岐する。
【００５６】
ステップＳ５０７では、前回の撮影から一定時間経過したかを判定する。設定された時間が経過した場合には、ステップＳ５０１へと戻り、次の回の撮影処理を続ける。そうでなければ、ステップＳ５０７に留まり、再度時間経過の判定を行なう。
【００５７】
以上に説明した本実施の形態によれば、インターバル撮影時でもメモリカードＭＣ１が装着されている場合には、撮影データのバッファリングを前記メモリカードＭＣ１に行なうことによって、ＤＶＤディスクＤ１が安定して書き込みを行なえる状態にあるときに書き込みを行なうようにすることができる。また、撮影時における停電や、駆動電圧の低下による機器の動作不可状態となった場合においても、それまでの記録データは前記メモリカードＭＣ１に保存されており、機器の動作不可状態となるまでに撮影した画像データが消失しないようにすることを確実に保証することが可能なインターバル撮影方法を提供できる。
なお、本実施の形態では、バッファリングを行なうフレーム数を３００フレームとして説明したが、本発明はこのフレーム数を限定しない。
【００５８】
（第３の実施の形態）
本実施の形態におけるハード構成例は、第１の実施の形態のハード構成と同様であるためここでは省略する。
図７は、本発明を実施した画像記録再生装置の制御を行なうシステムコントローラーＢ２のマイクロコンピュータが行なう処理手順を説明するフローチャートである。このフローチャートに従い、第３の実施の形態における画像記録再生装置の動作を説明する。
【００５９】
最初のステップＳ６０１では、撮影開始兼停止スイッチＳＷ１のON／OFF検出が行なわれる。このON／OFF検出の結果、撮影開始兼停止スイッチＳＷ１がOFFからONに変化した場合には、撮影処理に移行するためにステップＳ６０２へと進み、撮影開始兼停止スイッチＳＷ１がOFFのままで変化がなければステップＳ６０１に留まる。
【００６０】
ステップＳ６０２では、通常撮影モードかインターバル撮影モードかの判断が行なわれる。ここで、撮影モードの設定は、あらかじめユーザーがメニューなどの撮影条件設定手段を用いて行っているものとする。通常撮影モードであればステップＳ６０３へ進み、インターバル撮影モードであればステップＳ６０４へと分岐する。
【００６１】
ステップＳ６０３では、撮影データをメモリにバッファリングする通常撮影処理(バッファリング通常撮影)が行なわれる。このバッファリング通常撮影処理の詳細な動作の説明については、第１の実施の形態と同様であるため、ここでは省略する。
一方、ステップＳ６０４に進んだ場合は、撮影データをメモリにバッファリングするインターバル撮影処理(ＲＡＭバッファリングインターバル撮影)が行なわれる。
【００６２】
図８のフローチャートを用いて、前記ＲＡＭバッファリングインターバル撮影の動作の詳細について説明を行なう。なお、インターバル撮影における、一回のインターバル毎に撮影するフレーム数、総撮影回数、撮影間隔については、あらかじめユーザーがメニューなどの撮影条件設定手段を用いて行なっているものとする。
【００６３】
最初のステップＳ７０１では、撮像部Ｃ１によって撮像され、カメラ映像信号処理回路Ｂ４によって１フレーム分の映像信号が作り出される。
次に、ステップＳ７０２では、前記ステップＳ７０１で作り出された１フレーム分の映像信号を、記録再生データ処理回路Ｂ４によって画像データメモリＭ１にバッファリングする。
【００６４】
次に、ステップＳ７０３では、一回のインターバルで撮影するフレーム数だけ撮影したか否かを判定する。この判定の結果、設定されたフレーム数だけ撮影している場合にはステップＳ７０４へ進み、そうでなければステップＳ７０１へ戻り、再度撮影処理を行なう。
【００６５】
次に、ステップＳ７０４では、前回ＤＶＤディスクＤ１に書き込みを開始してからさらに６０フレーム以上を撮影し、画像データメモリＭ１にバッファリングしたか否かを判定する。この判定の結果、６０フレーム以上撮影している場合には、ステップＳ７０６へ進み、そうでなければステップＳ７０５へ分岐する。ここで判定するフレーム数は、通常撮影時にバッファされるフレーム数よりも少ない必要がある。
【００６６】
ステップＳ７０５では、設定回数分の撮影が終了したか否かの確認を行なう。この確認の結果、設定された回数だけ撮影している場合には、ステップＳ７０６へ進み、そうでなければステップＳ７１０へと分岐する。
【００６７】
ステップＳ７０６では、前回ＤＶＤディスクＤ１に記録したフレーム数が３００フレーム以上であるか否かの判定を行なう。この判定の結果、３００フレーム以上である場合にはステップＳ７０７へ進み、そうでなければステップＳ７０８へと分岐する。
【００６８】
ステップＳ７０７では、ＤＶＤディスクＤ１上の未記録部分に、画像データメモリＭ１にバッファリングされているデータの書き込みを新規に開始する。この書き込み処理は、ＤＶＤディスクＤ１が安定して書き込みを行なえる状態になっている場合に行なわれる。書き込まれたデータは、メモリカードＭＣ１に残されたままとなる。ＤＶＤディスクＤ１に実際に書き込みが開始されたか否かに関わらず、ステップＳ７０９へと進む。
【００６９】
ステップＳ７０８では、ＤＶＤディスクＤ１上の前回記録部分に、画像データメモリＭ１にバッファリングされているデータの上書きを開始する。ＤＶＤディスクＤ１に実際に書き込みが開始されたか否かに関わらず、ステップＳ７０９へと進む。
【００７０】
ステップＳ７０９では、設定回数分の撮影が終了したか否かの確認を行なう。この確認の結果、設定された回数だけ撮影している場合には撮影終了となり、そうでなければステップＳ７１０へと分岐する。
【００７１】
一方、ステップＳ７１０では、前回の撮影から一定時間経過したかを判定する。この判定の結果、設定された時間経過した場合には、ステップＳ７０１へと戻り、次の回の撮影処理を続ける。そうでなければ、ステップＳ７１０に留まり、再度時間経過の判定を行なう。
【００７２】
以上に説明した実施の形態によれば、インターバル撮影時でも画像データメモリＭ１にバッファリングを行ない、６０フレームバッファリングされる毎にＤＶＤディスクＤ１に上書きしていくことによって、撮影時における停電や、駆動電圧の低下により機器が動作不可状態でも、失われる撮影データを最小限にとどめることができると共に、ＤＶＤディスクＤ１が安定して書き込みを行なえる状態にあるときに書き込みを行なうようにすることができる。
【００７３】
本実施の形態では、ディスク書込みに移行するまでにバッファリングされるフレーム数を、通常撮影時３００フレーム、インターバル撮影時は６０フレームとして説明したが、インターバル撮影時にディスク書込みに移行するまでにバッファリングされるフレーム数が、通常撮影時にディスク書込みに移行するまでにバッファリングされるフレーム数を下回っていれば、本発明はこのフレーム数を限定しない。
【００７４】
（本発明の他の実施形態）
上述した実施形態の機能を実現するべく各種のデバイスを動作させるように、上記各種デバイスと接続された装置あるいはシステム内のコンピュータに対し、上記実施形態の機能を実現するためのソフトウェアのプログラムコードを供給し、そのシステムあるいは装置のコンピュータ（ＣＰＵあるいはＭＰＵ）に格納されたプログラムに従って上記各種デバイスを動作させることによって実施したものも、本発明の範疇に含まれる。
【００７５】
また、この場合、上記ソフトウェアのプログラムコード自体が上述した実施形態の機能を実現することになり、そのプログラムコード自体、およびそのプログラムコードをコンピュータに供給するための手段、例えば、かかるプログラムコードを格納した記録媒体は本発明を構成する。かかるプログラムコードを記録する記録媒体としては、例えばフレキシブルディスク、ハードディスク、光ディスク、光磁気ディスク、ＣＤ−ＲＯＭ、磁気テープ、不揮発性のメモリカード、ＲＯＭ等を用いることができる。
【００７６】
また、コンピュータが供給されたプログラムコードを実行することにより、上述の実施形態の機能が実現されるだけでなく、そのプログラムコードがコンピュータにおいて稼働しているＯＳ（オペレーティングシステム）あるいは他のアプリケーションソフト等と共同して上述の実施形態の機能が実現される場合にもかかるプログラムコードは本発明の実施形態に含まれる。
【００７７】
さらに、供給されたプログラムコードがコンピュータの機能拡張ボードやコンピュータに接続された機能拡張ユニットに備わるメモリに格納された後、そのプログラムコードの指示に基づいてその機能拡張ボードや機能拡張ユニットに備わるＣＰＵ等が実際の処理の一部または全部を行ない、その処理によって上述した実施形態の機能が実現される場合にも本発明に含まれる。
【図面の簡単な説明】
【００７８】
【図１】本発明の実施の形態を示す画像記録再生装置のブロック図である
【図２】本発明の第１の実施の形態におけるマイコンのフローチャートである。
【図３】本発明のバッファリング通常撮影におけるマイコンのフローチャートである。
【図４】本発明のバッファレスインターバル撮影におけるマイコンのフローチャートである。
【図５】本発明の第２の実施の形態におけるマイコンのフローチャートである。
【図６】本発明のメモリーカードバッファリングインターバル撮影におけるマイコンのフローチャートである。
【図７】本発明の第３の実施の形態におけるマイコンのフローチャートである。
【図８】本発明のＲＡＭバッファリングインターバル撮影におけるマイコンのフローチャートである。
【符号の説明】
【００７９】
Ｃ１  撮像装置
Ｂ１  記録再生データ処理回路
Ｂ２  システムコントローラー
Ｂ３  文字信号発生回路
Ｂ４  映像信号処理回路ブロック
Ｂ５  ＳＤ/ＭＭＣカードコントローラー
ＭＣ１  メモリカード
Ｍ１  画像データメモリ
Ｖ１  液晶パネル
Ｄ１  ＤＶＤディスク
ＳＷ１〜ＳＷ４  操作スイッチ
【図１】
2005192143.tif 000003
【図２】
2005192143.tif 000004
【図３】
2005192143.tif 000005
【図４】
2005192143.tif 000006
【図５】
2005192143.tif 000007
【図６】
2005192143.tif 000008
【図７】
2005192143.tif 000009
【図８】
2005192143.tif 000010